(57)【要約】【課題】マッサージアセンブリの提供。【解決手段】本考案のマッサージアセンブリは、主に、主体座からなる。主体座の底端は挟部で、両側挟部下端は孔を設け、頂端は枢軸を延伸する枢軸両端が回転座を枢接し、回転座上にマッサージ素子を結合する。回転座のもう一側はマッサージ体を枢接する。主体座の挟部は筆記具のキャップ上に挟持され、その下の孔により、枢軸が筆記具、歯ブラシ、棒体を貫通固定し、使用者が筆記具を携帯していれば、随時、身体の各部位にマッサージを施すことができる。【選択図】    図２
0003136495.tif 000002
【実用新案登録請求の範囲】
【請求項１】
マッサージアセンブリであって、主に、主体座、滑動素子、少なくとも一つの回転座、マッサージ素子、及び、少なくとも一つのマッサージ体からなり、
前記主体座は係槽を有し、一側に定位ブロックを有し、両側は孔を有し、前記孔は筆記具やキャップを貫通する孔で、複式マッサージアセンブリを接続し、
前記滑動素子は、底端に近接する箇所に滑槽を設置し、前記滑槽の長さは前記主体座の定位ブロックより長く、頂端は枢軸を設置し、前記滑動素子の滑槽と前記主体座の定位ブロックは結合し、前記滑動素子は前記主体座上で上下に移動でき、
前記少なくとも一つの回転座は、定位槽と横向けの貫通孔を形成し、前記貫通孔により前記回転座を前記滑動素子の枢軸端部に枢接して、前記回転座が枢軸上で回転し、
前記マッサージ素子は、前記回転座の定位槽上に定位し、
前記少なくとも一つのマッサージ体の一側はマッサージ尖端を設置し、もう一側は軸体を設置し、前記マッサージ体の軸体が回転座の別の貫通孔に結合され、前記マッサージ体がそれぞれ前記回転座の一側で定位し、
前記主体座の係槽が、市販の筆記具のキャップ上に挟持され、前記回転座の回転、及び、前記滑動素子の上下運動により、前記マッサージ素子や前記マッサージ体により随時身体の各部位にマッサージを施すことができることを特徴とするマッサージアセンブリ。
【請求項２】
前記主体座両側に孔を設置し、前記孔は筆記具やキャップの孔を貫通して、複式マッサージアセンブリを接続し、前記主体座の滑動素子の枢軸が前記主体座の前端に結合されると共に、枢軸の両端部上に縁部を有し、前記回転座の縁部が係固して、前記回転座が単一辺で回転し、前記主体座のもう一つの構造は挟部を形成し、前記挟部頂端は滑動素子を延伸し、前記滑動素子端部は枢軸を結合し、又、前記主体座は更に、弧形外形の滑動素子に結合され、上に滑槽を設置し、前記滑槽一面は前記主体座のもう一面を結合し、底蓋により遮蔽されて美しい外観を形成し、更に、前記主体座は環状構造を形成し、前記環状構造により、直接、キャップ、或いは筆記具上に設置することができることを特徴とする請求項１に記載のマッサージアセンブリ。
【請求項３】
前記回転座は両断面がT字型の中空ブロック体を相互に結合してなり、前記回転座の断面は「エ」の字型で、前記回転座がマッサージ素子、及び、マッサージ体、或いは、装飾物を結合し、前記マッサージ素子の形状は球形、錘状体、或いは、片体状で、また、前記マッサージ尖端はブラシ型、球形、或いは、錘状のマッサージ尖端で、更に、前記装飾物は宇宙人、飛行機、子豚、トラック、蛙、花、及び、人形等の造型であることを特徴とする請求項１に記載のマッサージアセンブリ。
【考案の詳細な説明】
【技術分野】
【０００１】
本考案はマッサージアセンブリに関するものであって、特に、どんな筆記具やキャップにも結合でき、マッサージ素子を任意に交換できて、随時、マッサージ、リラックス目的を達成することができるマッサージアセンブリに関する。
【背景技術】
【０００２】
現代人は忙しく、日々ストレスを感じていて、体の強張りや痛みを感じることがあり、時には、肩こり腰痛、疲労がある。よって、これらの状況を緩和するため、マッサージ商品（マッサージチェアやマッサージ器、按摩棒等）が開発され、マッサージ商品によるマッサージによって改善している。しかし、これらの商品は構成上、以下のような欠点がある。
１．   公知のマッサージ商品は体積が大きく、携帯できないので、マッサージの場所は居住室内に限られ、使用上不便である。
２．   公知のマッサージ商品の構造は複雑で、組み立てが難しく、且つ、起動時に、電力により駆動するので、電力を消費する。
【考案の開示】
【考案が解決しようとする課題】
【０００３】
本考案の目的は、マッサージアセンブリを提供し、上述の欠点を改善することにある。
【課題を解決するための手段】
【０００４】
本考案のマッサージアセンブリは、主に、主体座、少なくとも一つの回転座、マッサージ素子、及び、マッサージ体からなる。主体座の底端は挟部を設置し、挟部上は滑動素子を延伸し、挟部下端は孔を設け、枢軸が筆記具、或いは、キャップの孔を貫通固定すると共に、枢軸両端が回転座に接続され、回転座が更にマッサージ素子に結合する。別の滑動素子端部は枢軸を結合する。回転座は「エ」の字型で、上に貫通孔を有し、回転座はそれぞれ枢軸の両端部に枢接され、回転座は枢軸上で回転する。マッサージ素子表面はマッサージブロックを設置し、必要に応じて異なるアセンブリに交換することができ、マッサージ素子は回転座上に係設される。マッサージ体の前側はマッサージ尖端を設置し、もう一側は軸体を設置し、マッサージ体の軸体が回転座の別の一側に結合される。主体座の挟部は筆記具のキャップ上に挟持され、使用者が筆記具を携帯し、マッサージ素子やマッサージ体により随時身体の各部位にマッサージを施すことができる。
【考案の効果】
【０００５】
本考案のマッサージアセンブリは、どんな筆記具やキャップにも結合でき、マッサージ素子を任意に交換できて、随時、マッサージ、リラックス目的を達成する。                
【考案を実施するための最良の形態】
【０００６】
まず、図１は本考案のマッサージアセンブリを示す図である。
【０００７】
実施時、図１を参照すると、筆記具５端部は、孔５０に枢軸１３が穿置され、主体座６の孔６３と固定される。枢軸１３前端は縁部１３１を有し、孔５０上に係固する。
【０００８】
少なくとも一つの回転座２は、両断面がT字型の中空ブロック２１を相互に結合してなり、回転座２上に定位槽２２を形成すると共に、その上に横向けの貫通孔２３を有し、回転座２の断面が「エ」の字型である。回転座２の貫通孔２３により、両回転座２をそれぞれ枢軸１３両端部に結合し、回転座の貫通孔２３と枢軸１３の縁部１３１が係固して、回転座２が枢軸１３上で定位し、回転する。
【０００９】
マッサージ素子３は、表面に球形体、錘状体、或いは、片体を形成する。マッサージ素子３は回転座２の定位槽２２上に定位される。
【００１０】
少なくとも一つのマッサージ体４は、一側にマッサージ尖端４１を設置し、もう一側に軸体４２を設置する。マッサージ尖端４１はブラシ型、球形、或いは、錘状のマッサージ尖端である。両マッサージ体４の軸体４２は回転座２のもう一側の貫通孔２３中に結合され、マッサージ体４はそれぞれ回転座２の一側に定位する。
【００１１】
図２と図３を参照し、更に、主体座６、滑動素子７、回転座２、マッサージ素子３、マッサージ体４を説明する。
【００１２】
主体座６は、両側に孔６３を有し、孔６３は必要に応じて枢軸１３によりキャップの孔５０を貫通し、安定効果を増加する以外に、枢軸１３両端は回転座２に接続され、回転座２は更に異なるマッサージ素子を接続し、滑動素子７が接続するマッサージ素子と複合式マッサージ構造を形成する。主体座は係槽６１を有し、一側に定位ブロック６２を有する。
【００１３】
滑動素子７は、底端に近接する箇所に滑槽７１を設置し、滑槽７１の長さは主体座６の定位ブロック６２より長く、頂端一側は枢軸１３を結合する。滑動素子７の滑槽７１と主体座６の定位ブロック６２は結合し、滑動素子７は滑槽７１の長さが定位ブロック６２より長い特性により、主体座６の一側上で上下に移動できる。滑動素子７前端は枢軸１３を枢接すると共に、枢軸１３両端はどちらも回転座２を結合する。
【００１４】
回転座２は、両断面がT字型の中空ブロック２１を相互に結合してなり、回転座２上に定位槽２２を形成すると共に、その上に横向けの貫通孔２３を有し、回転座２の断面が「エ」の字型である。回転座２の貫通孔２３により、両回転座２をそれぞれ枢軸１３両端部に結合し、回転座の貫通孔２３と枢軸１３の縁部１３１が係固して、回転座２が枢軸１３上で定位し、回転する。
【００１５】
マッサージ素子３は、表面に球形体、錘状体、或いは、片体を形成する。マッサージ素子３は回転座２の定位槽２２上に定位される。
【００１６】
マッサージ体４は、一側にマッサージ尖端４１を設置し、もう一側に軸体４２を設置する。マッサージ尖端４１はブラシ型、球形、或いは、錘状のマッサージ尖端である。マッサージ体４は回転座２のもう一側の貫通孔２３中に結合され、マッサージ体４はそれぞれ回転座２の一側に定位する。
【００１７】
主体座６の係槽６１は市販の筆記具（鉛筆、ボール筆記具、毛筆、万年筆、クレヨン、色鉛筆等）のキャップ５１上、或いは、その他の棒体上に係合され、使用者が筆記具５や歯ブラシ等の棒体を携帯すれば、回転座２の回転、及び、滑動素子７の上下移動により、マッサージ素子３、或いは、マッサージ体４が随時、身体各部位、例えば、眼圧、耳部、頚椎やコリのある場所、ツボ、関節、足裏などにマッサージを施すことができる。
【００１８】
図４は本考案の滑動素子構造の実施例図であり、主体座６が滑動素子７上に結合される。滑動素子７は弧形に形成され、上に滑槽７１を設置し、滑槽７１一面は主体座６のもう一面を結合して底蓋７２により遮蔽され、底蓋７２下方はマークや広告を印刷することができる。更に、滑動素子７が枢軸１３を枢設し、枢軸１３により回転座２を結合し、回転座２はマッサージ素子３とマッサージ体４を結合する。マッサージ素子３は、球形、片体、或いは、ブロック状で、組み合わせ後の状態が図４―１で示され、前端は通孔９１を有し、装飾物を掛けたり、携帯電話等その他の物品を連結したり、或いは、通孔９１を穿過して、胸前や腰部、財布に掛けたりできる。
【００１９】
図５を参照すると、本考案は、更に主体座のもう一つの構造を実施する。マッサージアセンブリは、主体座と、少なくとも一つの回転座と、マッサージ素子と、少なくとも一つのマッサージ体と、からなる。
【００２０】
主体座は、挟部１１を形成し、挟部１１頂端は挟部滑動素子１２を延伸し、挟部滑動素子１２端部は、枢軸１３を定位し、枢軸１３の前端は、縁部１３１を有する。
【００２１】
少なくとも一つの回転座２は、両断面がT字型の中空ブロック２１を相互に結合してなり、回転座２上に定位槽２２を形成すると共に、その上に横向けの貫通孔２３を有し、回転座２の断面が「エ」の字型である。回転座２の貫通孔２３により、両回転座２をそれぞれ枢軸１３両端部に結合し、回転座の貫通孔２３と枢軸１３の縁部１３１が係固して、回転座２が枢軸１３上で定位し、回転する。
【００２２】
マッサージ素子３は、表面に球形体、錘状体、或いは、片体を形成する。マッサージ素子３は回転座２の定位槽２２上に定位される。
【００２３】
少なくとも一つのマッサージ体４は、一側にマッサージ尖端４１を設置し、もう一側に軸体４２を設置する。マッサージ尖端４１はブラシ型、球形、或いは、錘状のマッサージ尖端である。両マッサージ体４の軸体４２は回転座２のもう一側の貫通孔２３中に結合され、マッサージ体４はそれぞれ回転座２の一側に定位する。
【００２４】
主体座の挟部１１は市販の筆記具（鉛筆、ボール筆記具、毛筆、万年筆、クレヨン、色鉛筆等）のキャップ５１上に挟持され、使用者が筆記具５を携帯すれば、回転座２の回転により、マッサージ素子３、或いは、マッサージ体４が随時、身体各部位、例えば、眼圧、耳部、頚椎やコリのある場所、ツボ、関節、足裏などにマッサージを施すことができる。
【００２５】
更に、図６は本考案の主体座のもう一つの構造実施図で、主体座は環状構造６６に形成し、環状構造６６によりキャップ５１、或いは筆記具５上に直接設置することができる。
【００２６】
図７を参照すると、キャップ５１は孔５０を有し、孔５０により枢軸１３に結合し、更に、回転座２、マッサージ素子３、及び、マッサージ体４を順に結合する。使用時に、キャップ５１は市販の筆記具（鉛筆、ボール筆記具、万年筆等）上に結合され、回転座２の回転により、マッサージ素子３、或いは、マッサージ体４が身体各部位にマッサージを施すことができる。
【００２７】
図８と図８−１を参照すると、回転座２は装飾物８とマッサージ素子３を結合する。装飾物８は宇宙人、飛行機、子豚、トラック、蛙、花、及び、人形等の造型で、異なるマッサージ素子で随意に交換、変動でき、マッサージ素子３は片体にブラシ状、錘状、円凸状、及び、針状のマッサージ体を結合する。回転座２は回転する環状体を接続し、環状体上に凹孔３１を有し、ボール３２を嵌設して、ボールによるマッサージ効果を形成する。本考案は、異なる変化様式を有し、装飾物の変化も合わせて、個人の好みの外観に仕上げることができる。
【００２８】
図９と図１０を参照すると、上述の図８で示される装飾物８とマッサージ素子３の素子の組み合わせにより、二種の異なる視覚造型を形成し、図９は、両側の回転座２が結合する装飾物８が蛙造型で、図１０は装飾物８をトラック造型に交換してあり、本考案は個人の好みにより装飾物を交換して、独特なマッサージ筆記具造型構造にすることができる。
【図面の簡単な説明】
【００２９】
【図１】本考案の筆記具を結合する構造分解図である。
【図２】本考案の主体座と滑動素子がキャップを結合した分解図である。
【図３】本考案の主体座と滑動素子がキャップを結合した組み合わせ図である。
【図４】本考案のもう一つの分解実施図である。
【図４−１】本考案のもう一つの組み合わせ実施図である。
【図５】本考案のもう一つの構造の分解実施図である。
【図６】本考案の環状構造の主体座の実施例図である。
【図７】本考案のキャップとマッサージ素子、及び、マッサージ体が結合した実施図である。
【図８】本考案の装飾物を結合した組み合わせ図である。
【図８−１】本考案の装飾物とマッサージ素子の配置様式図である。
【図９】本考案の装飾物の応用実施図（１）である。
【図１０】本考案の装飾物の応用実施図（２）である。
【符号の説明】
【００３０】
11挟部
12挟部滑動素子
13枢軸
131縁部
2回転座
21中空ブロック
22定位槽
23貫通孔
3マッサージ素子
31凹孔
32ボール
4マッサージ体
41マッサージ尖端
42軸体
5筆記具
50 孔
51キャップ
6 主体座
61係槽
62定位ブロック
7滑動素子
71滑槽
72底蓋
８  装飾物
９１  通孔
【図１】
0003136495.tif 000003
【図２】
0003136495.tif 000004
【図３】
0003136495.tif 000005
【図４】
0003136495.tif 000006
【図４−１】
0003136495.tif 000007
【図５】
0003136495.tif 000008
【図６】
0003136495.tif 000009
【図７】
0003136495.tif 000010
【図８】
0003136495.tif 000011
【図８−１】
0003136495.tif 000012
【図９】
0003136495.tif 000013
【図１０】
0003136495.tif 000014
【手続補正書】
【提出日】平成19年8月28日(2007.8.28)
【手続補正１】
【補正対象書類名】実用新案登録請求の範囲
【補正対象項目名】全文
【補正方法】変更
【補正の内容】
【実用新案登録請求の範囲】
【請求項１】
マッサージアセンブリであって、主に、主体座、滑動素子、少なくとも一つの回転座、マッサージ素子、及び、少なくとも一つのマッサージ体からなり、
前記主体座は係槽を有し、一側に定位ブロックを有し、両側は孔を有し、前記孔は筆記具やキャップを貫通する孔で、複式マッサージアセンブリを接続し、
前記滑動素子は、底端に近接する箇所に滑槽を設置し、前記滑槽の長さは前記主体座の定位ブロックより長く、頂端は枢軸を設置し、前記滑動素子の滑槽と前記主体座の定位ブロックは結合し、前記滑動素子は前記主体座上で上下に移動でき、
前記少なくとも一つの回転座は、定位槽と横向けの貫通孔を形成し、前記貫通孔により前記回転座を前記滑動素子の枢軸端部に枢接して、前記回転座が枢軸上で回転し、
前記マッサージ素子は、前記回転座の定位槽上に定位し、
前記少なくとも一つのマッサージ体の一側はマッサージ尖端を設置し、もう一側は軸体を設置し、前記マッサージ体の軸体が回転座の別の貫通孔に結合され、前記マッサージ体がそれぞれ前記回転座の一側で定位し、
前記主体座の係槽が、市販の筆記具のキャップ上に挟持され、前記回転座の回転、及び、前記滑動素子の上下運動により、前記マッサージ素子や前記マッサージ体により随時身体の各部位にマッサージを施すことができることを特徴とするマッサージアセンブリ。
【請求項２】
前記主体座両側に孔を設置し、前記孔は筆記具やキャップの孔を貫通して、複式マッサージアセンブリを接続し、前記主体座の滑動素子の枢軸が前記主体座の前端に結合されると共に、枢軸の両端部上に縁部を有し、前記回転座の縁部が係固して、前記回転座が単一辺で回転し、前記主体座のもう一つの構造は挟部を形成し、前記挟部頂端は滑動素子を延伸し、前記滑動素子端部は枢軸を結合し、又、前記主体座は更に、弧形外形の滑動素子に結合され、上に滑槽を設置し、前記滑槽一面は前記主体座のもう一面を結合し、底蓋により遮蔽されて美しい外観を形成し、更に、前記主体座は環状構造を形成し、前記環状構造により、直接、キャップ、或いは筆記具上に設置することができることを特徴とする請求項１に記載のマッサージアセンブリ。
【請求項３】
前記回転座は両断面がT字型の中空ブロック体を相互に結合してなり、前記回転座の断面は「エ」の字型で、前記回転座がマッサージ素子、及び、マッサージ体、或いは、装飾物を結合し、前記マッサージ素子の形状は球形、錘状体、或いは、片体状で、また、前記マッサージ尖端はブラシ型、球形、或いは、錘状のマッサージ尖端で、更に、前記装飾物は宇宙人、飛行機、子豚、トラック、蛙、花、又は、人形等の造型であることを特徴とする請求項１に記載のマッサージアセンブリ。